(57)【要約】【課題】製造された遊技機が遊技機ホールに輸送される際などにおいて、不正解錠を防止することができるキーコード変換型の変換式シリンダ錠を提供する。【解決手段】外筒１に表示窓１３とピン孔１２ｂが設けられ、表示窓に表示部１４ａを表示可能に設けた回動表示部材１４が内筒２と外筒１の間に配設される。回動表示部材にはピン孔１４ｂが設けられる。キーにより内筒２をコード変換位置まで回したとき、内筒２のピン挿入孔２４に挿入した切断ピン１５のピン先端部１５ｂが回動表示部材のピン孔１４ｂと嵌合する。キーを内筒とともに変換位置から通常状態に戻すとき、回動表示部材が内筒とともに通常位置まで回動し、切断ピンのピン先端部は外筒１のピン孔１２ｂに嵌合し、次に内筒を回わしたとき、切断ピンのピン先端部が切り離され、回動表示部材の表示部は表示窓の内側に位置し固定的に表示された状態となる。【選択図】図１
2016121506.tif 000002
【特許請求の範囲】
【請求項１】
錠の外殻を形成し、内側壁面に軸方向の係合凹溝を設けた円筒状の外筒と、
該外筒内に回転可能に挿入され、キー挿入孔を軸方向に設け、該キー挿入孔と直角方向にタンブラー挿入用のタンブラー孔を該キー挿入孔と連通して設けた内筒と、
該内筒の端部に連結され、錠の出力軸となるカム軸と、
キーコード変換時に操作して該カム軸と該内筒の連結を解除するリセットレバーと、
中央にキー孔が設けられ、該タンブラー孔に挿入される第１タンブラーと、
該第１タンブラーの側部に回動可能に嵌合され、開閉用のサイドバー溝が一端に形成され、コード変換用のサイドバー溝が他端に形成された第２タンブラーと、
該内筒の外周部軸方向に設けた一方のサイドバー用凹部に挿入され、該外筒の内面軸方向に設けた係合凹溝に係合可能な開閉用の第１サイドバーと、
該内筒の外周部軸方向に設けた他方のサイドバー用凹部に挿入され、該外筒の内面軸方向に設けた該係合凹溝に係合可能なキーコード変換用の第２サイドバーと、
を備え、該リセットレバーを操作しながら、キーを該キー挿入孔に挿入して、内筒をカム軸から分離させて所定角度回転させ、新キーを挿入した状態で、戻すように新キーを回転操作して、キーコードを新キー用に変換する変換式シリンダ錠において、
前記外筒に表示窓が設けられ、
該表示窓に表示部を表示可能に設けた回動表示部材が該内筒と該外筒の間に配設され、
該内筒の回動力によってピン先端部を切断可能に設けた切断ピンが、該内筒のピン挿入孔内にバネを介して挿入され、
該切断ピンは、該ピン先端部を該回動表示部材に設けたピン孔と該外筒に設けたピン孔とに挿入可能に、該内筒の該ピン挿入孔に挿入され、
前記リセットレバーを操作して、キーを該キー挿入孔に挿入し該内筒を所定角度回した後、当該キーをまたは変換後の新キーを該キー挿入孔に挿入し、元の位置に戻すように該内筒を回動操作したとき、該切断ピンの該ピン先端部が切り離され、且つ該表示部が該表示窓の内側に位置して固定的に表示された状態となることを特徴とする変換式シリンダ錠。
【請求項２】
前記ピン挿入孔は、前記内筒の端部に、該内筒の軸方向と平行に形成され、前記外筒のピン孔は、該外筒の正面フランジ部の内側に形成され、前記表示窓は該外筒の正面フランジ部に開口して透明合成樹脂で覆われたことを特徴とする請求項１記載の変換式シリンダ錠。
【請求項３】
前記回動表示部材は、内側を円形に切り抜いたリング状に形成されて、前記内筒の先端の凸部に回動可能に外嵌され、前記表示部はリング状の該回動表示部材の一部に設けられ、前記ピン孔は該表示部から約１８０°の間隔をあけて該回動表示部材に設けられたことを特徴とする請求項１記載の変換式シリンダ錠。
【請求項４】
前記回動表示部材の表示部は、前記外筒の色に対し黒色、有彩色などの対照色とされたことを特徴とする請求項３記載の変換式シリンダ錠。
【請求項５】
前記回動表示部材は、外周部にばね弾性部を有し、該ばね弾性部は前記外筒の内周面にばね弾性をもって接触することを特徴とする請求項３記載の変換式シリンダ錠。
【請求項６】
前記外筒の内側壁面に係合凹溝が軸方向に形成され、前記内筒には、前記キー挿入孔と直角方向にタンブラー挿入用のタンブラー孔が、該キー挿入孔と連通して設けられ、錠の出力軸となるカム軸が該内筒の端部に連結され、キーコード変換時に操作して該カム軸と該内筒の連結を解除するリセットレバーが設けられ、
中央にキー挿入孔を設けた第１タンブラーが該タンブラー孔に挿入され、第２タンブラーが該第１タンブラーの側部に回動可能に嵌合され、該第２タンブラーには、開閉用サイドバー溝が一端に形成されるとともに、コード変換用サイドバー溝が他端に形成され、
該内筒の外周部軸方向両側にサイドバー用凹部が設けられ、開閉用の第１サイドバーが、前記係合凹溝に係合可能に、且つ一方の該サイドバー用凹部に摺動可能に挿入され、キーコード変換用の第２サイドバーが、他方の該サイドバー用凹部に摺動可能に挿入され、
該リセットレバーを操作しながら、キーを該キー挿入孔に挿入して、該内筒を該カム軸から分離させてコード変換位置まで回転させ、新キーを挿入した状態で、戻すように新キーを回転操作して、キーコードを新キー用に変換することを特徴とする請求項１記載の変換式シリンダ錠。
【発明の詳細な説明】
【技術分野】
【０００１】
本発明は、キーコードを変換可能な変換式シリンダ錠に関し、特に不正に解錠操作された場合、その解錠履歴を表示できるようにして、不正解錠を防止するようにしたキーコード変換型の変換式シリンダ錠に関する。
【背景技術】
【０００２】
キーコードを変換可能なシリンダ錠として、下記特許文献１に、内筒の内側に並設した多数の仕切溝に、タンブラーを配設してなるキーコード変換型のシリンダ錠が提案されている。このシリンダ錠は、外筒内に内筒を回動可能に挿入し、内筒の内部に、タンブラー挿入用の多数の仕切溝を、軸と垂直方向に並設し、これらの仕切溝内に、歯車部を有した特殊な形状のタンブラーが挿入される。さらに、多数のタンブラーに対し係合可能にピニオンとスイングプレートが配設され、それらの係合位置を変えることにより、タンブラーの解錠位置を変えて、キーコードを変える。
【０００３】
さらに、上記シリンダ錠には、スイングギヤがタンブラーの歯車部と噛合可能に配設され、ピニオンの外周位置に、軸方向に延びるサイドバーがラジアル方向に移動可能に係合して装着される。このシリンダ錠のキーコードを変換する場合、専用の変換キーを内筒のキー孔に差し込み内筒を回動させると、サイドバーが移動し且つピニオンが移動することにより、ピニオンとタンブラーとの係合が外れ、変換キーを引き抜くと、キーコードがリセット状態となる。その後、新たな通常キーをキー孔内に挿入して、内筒をタンブラーの新たな位置でピニオンとタンブラーの歯車部とを噛合させることにより、新たなキーコードが設定されるように構成される。
【０００４】
しかしながら、上記従来のキーコード変換式のシリンダ錠は、多数の特殊な形状のタンブラーに加えて、ピニオン、スイングギヤなどの複雑な構造の部品を内筒に係合可能に組み込む必要があり、シリンダ錠の構造が非常に複雑化していた。
【０００５】
一方、キーコードを変換可能なシリンダ錠として、シリンダ錠の裏カバーに、内筒とカム軸を切り離すリセットレバーを設け、リセットレバーを操作しながら、キーをキー孔に挿入して、内筒をカム軸から分離させて所定角度回転させ、新キーを挿入した状態で、戻すように新キーを回転操作して、キーコードを新キー用に変換するキーコード変換式のシリンダ錠が、下記特許文献２などにおいて知られている。
【先行技術文献】
【特許文献】
【０００６】
【特許文献１】特開２００８−２９７６９６号公報
【特許文献２】特開２００８−１０１３９２号公報
【発明の概要】
【０００７】
ところで、この種の変換式シリンダ錠は、キーコードを簡便に変換することができることから、パチンコ機などの遊技機の施錠装置として、広く使用されており、比較的簡単な構成と少ない部品点数とで形成される上記変換式シリンダ錠は、大量生産される遊技機に組み付けられて、数多く流通している。
【発明が解決しようとする課題】
【０００８】
しかしながら、パチンコ機などの遊技機は、多数の機種が、遊技機メーカーで製造された後、販売先の遊技機ホールに発送されるが、その際、遊技機の輸送は運送業者に依頼され、運送業者の輸送トラックなどに搭載され、購入先の遊技機ホールに運搬される。しかし、運送中に、遊技機を不正に解錠して前面枠を開き、内部のＲＯＭなどを不正に取り替えられるという不正が行われる課題があった。
【０００９】
すなわち、遊技機メーカーで製造された遊技機が販売先の遊技機ホールに輸送される場合、遊技機の施錠装置のシリンダ錠には、多くの遊技機ホールで流通している所謂流通キー（標準キー）が付属し、或いはその流通キーを使用して解錠可能な状態で、遊技機ホールに発送される。遊技機は、同一機種の商品が数万台という非常に多数の台数で出荷されるため、各遊技機ごとにシリンダ錠のキーコードを設定することは、キーやキーコードの管理が非常に煩雑化するため、行うことができず、また、遊技機の輸送とは別に施錠装置のキーを輸送し、遊技機ホールで各々の遊技機に各々のキーを使用して、遊技機を開き、ホールの島に設置するような作業も、キーやキーコードの管理が非常に煩雑化するため、行うことができない。
【００１０】
このため、遊技機が製造販売時に出荷される際には、標準的な流通キーで施錠装置のシリンダ錠を解錠可能な状態とし、運送業者は、多くの遊技機を各地の遊技機ホールに運搬し、各遊技機ホールでは、標準的な流通キーを使用して、配送された遊技機を解錠し、それらをホールの島に設置する作業を行っている。このため、上記のように、遊技機の運搬時に、広く流通している流通キーを使用して、遊技機の施錠装置のシリンダ錠が解錠されやすく、内部のＲＯＭなどを不正に交換する不正行為が行われる課題があった。
【００１１】
本発明は、上記の点に鑑みなされたものであり、製造された遊技機が遊技機ホールに輸送される際などにおいて、不正解錠を防止することができるキーコード変換型の変換式シリンダ錠を提供することを目的とする。
【課題を解決するための手段】
【００１２】
上記目的を達成するために、本発明の変換式シリンダ錠は、
外筒と該外筒内に回動可能に挿入された内筒とを備え、該内筒のキー挿入孔に、キーを挿入してキーコード変換位置まで該内筒を回した後、通常位置まで該内筒を戻し、キーコードを新キー用に変換する変換式シリンダ錠において、
該外筒に表示窓とピン孔が設けられ、該表示窓に表示部を表示可能に設けた回動表示部材が該内筒と該外筒の間に回動可能に配設され、
該回動表示部材にはピン孔が設けられ、該内筒のピン挿入孔内にバネを介して切断ピンが挿入され、該切断ピンは、元部に対しピン先端部が回動力により切断可能に形成されるとともに、該ピン先端部は、該回動表示部材の該ピン孔と該外筒の該ピン孔とに挿入可能に形成され、
キーを該内筒の該キー挿入孔に挿入してキーコード変換位置まで回したとき、該切断ピンの該ピン先端部が該回動表示部材の該ピン孔に嵌合し、該内筒を元の通常位置に戻すとき、該回動表示部材が該内筒とともに回動して、該回動表示部材の該表示部が該表示窓から表示される状態となり、且つ該ピン先端部が該外筒の該ピン孔に嵌合し、
キーにより該内筒を解錠回動操作したとき、該切断ピンの該ピン先端部が切り離され、且つ該表示部が該表示窓から固定的に表示される状態となることを特徴とする。
【００１３】
この発明の変換式シリンダ錠によれば、例えば変換式シリンダ錠の施錠装置を装着した遊技機が、製造メーカから出荷される場合、流通キーなどのキーをキー挿入孔に挿入し、内筒をキーコード変換位置まで回動させて、遊技機を出荷する。
【００１４】
遊技機が遊技機ホールに到着し、遊技機を解錠して、ホールの島に設置する場合、例えばホール専用キーを変換式シリンダ錠のキー孔に差し込み、内筒を元の通常位置まで戻すように回動させる。
【００１５】
このとき、変換式シリンダ錠のキーコードがホール専用キー用のキーコードに変換され、回動表示部材が内筒とともに回動してその表示部が表示窓に表示される状態となり、切断ピンのピン先端部が外筒のピン孔に嵌合する。この状態で、解錠操作するためにキーを回すと、切断ピンの元部とピン先端部が切断されて分離し、ピン先端部が回動表示部材のピン孔と外筒のピン孔に嵌合保持され、回動表示部材は外筒内で固定状態となり、その表示部は表示窓の内側に位置し表示窓を通して固定的に表示された状態となる。
【００１６】
したがって、遊技機の運送途中で、不正行為のために、流通キーなどのキーをキー孔に差し込み、内筒を元の位置まで戻し、不正解錠を行った場合、上記と同様に、切断ピンのピン先端部が外筒のピン孔と回動表示部材のピン孔に進入して内筒が回動し、これにより、切断ピンの元部とピン先端部が切断されて分離し、ピン先端部が回動表示部材のピン孔と外筒のピン孔に嵌合保持され、回動表示部材は外筒に対し固定状態となり、その表示部は外筒の表示窓に固定的に表示された状態となる。つまり、解錠履歴が表示されることとなる。
【００１７】
このため、仮に輸送途中に、流通キーなどを使用して不正に解錠操作された場合、外筒の表示窓に回動表示部材の表示部が固定的に表示され、その表示を見れば、当該遊技機が輸送途中などに不正に解錠されたものと容易に認識することができ、このような理由から、遊技機の輸送途中における不正解錠を未然に防止することができる。
【００１８】
一方、遊技機ホールで、ホール専用キーを用いて内筒を元の位置に戻せば、変換式シリンダ錠のキーコードはホール専用キー用のキーコードに変換され、シリンダ錠を解錠操作する場合、ホール専用キーを新キーとして使用することができ、表示窓には回動表示部材の表示部が固定的に表示された状態となるが、シリンダ錠は何ら問題なく使用することができる。
【００１９】
このように、遊技機の製造時、リセットレバーを操作しながら変換式シリンダ錠の内筒を、キーコード変換位置まで回動させたリセット状態で、遊技機を出荷すれば、仮に輸送途中で、流通キーなどを使用して不正に解錠操作された場合、外筒の表示窓には回動表示部材の表示部が固定的に表示されるので、その表示を見れば、当該遊技機が輸送途中などに不正に解錠されたものと容易に認識することができ、このような理由から、遊技機の輸送途中における不正解錠を未然に防止することができる。
【００２０】
ここで、上記変換式シリンダ錠において、上記ピン挿入孔は、上記内筒の端部に、該内筒の軸方向と平行に形成し、上記外筒のピン孔は外筒の正面フランジ部の内側に設け、上記表示窓は該外筒の正面フランジ部に開口して透明合成樹脂で覆うことが好ましい。これによれば、表示部をシリンダ錠の正面に明確に表示することができる。
【００２１】
また、上記回動表示部材は、内側を円形に切り抜いたリング状に形成され、上記内筒の先端の凸部に回動可能に外嵌され、上記表示部はリング状の回動表示部材の一部に設け、上記ピン孔は該表示部から約１８０°の間隔をあけて設けることができる。また、上記回動表示部材の表示部は、外筒の色に対し黒色、有彩色などの対照色とすることが好ましい。
【００２２】
また、回動表示部材は、外周部にばね弾性部を有し、該ばね弾性部は上記外筒の内周面にばね弾性をもって接触させることが好ましい。これにより、回動表示部材をがたつきなく装着し、表示部の表示状態を確実に保持することができる。
【００２３】
またここで、上記変換式シリンダ錠において、上記外筒は、その内側壁面に係合凹溝が軸方向に形成され、上記内筒には、前記キー挿入孔と直角方向にタンブラー挿入用のタンブラー孔が、該キー挿入孔と連通して設けられ、錠の出力軸となるカム軸が該内筒の端部に連結され、キーコード変換時に操作して該カム軸と該内筒の連結を解除するリセットレバーが設けられ、
中央にキー挿入孔を設けた第１タンブラーが該タンブラー孔に挿入され、第２タンブラーが該第１タンブラーの側部に回動可能に嵌合され、該第２タンブラーには、開閉用サイドバー溝が一端に形成されるとともに、コード変換用サイドバー溝が他端に形成され、
該内筒の外周部軸方向両側にサイドバー用凹部が設けられ、開閉用の第１サイドバーが、前記係合凹溝に係合可能に、且つ一方の該サイドバー用凹部に摺動可能に挿入され、キーコード変換用の第２サイドバーが、他方の該サイドバー用凹部に摺動可能に挿入され、
該リセットレバーを操作しながら、キーを該キー挿入孔に挿入して、該内筒を該カム軸から分離させてコード変換位置まで回転させ、新キーを挿入した状態で、戻すように新キーを回転操作して、キーコードを新キー用に変換するように構成することができる。
【発明の効果】
【００２４】
本発明の変換式シリンダ錠によれば、製造された遊技機が遊技機ホールに輸送される際などにおいて、不正解錠が行われた場合、表示窓に表示部が表示され、その表示を見れば、遊技機が輸送途中などに不正に解錠されたものと容易に認識できるので、遊技機の輸送途中などの不正解錠を未然に防止することができる。
【図面の簡単な説明】
【００２５】
【図１】本発明の一実施形態を示す変換式シリンダ錠の外筒と内筒及び回動表示部材の分解斜視図である。
【図２】同変換式シリンダ錠の全体分解斜視図である。
【図３】同変換式シリンダ錠の軸方向に沿った断面図（ａ）、その横断面図（ｂ）、解錠時の横断面図（ｃ）である。
【図４】外筒、回動表示部材、切断ピン、及び内筒の部分分解断面図である。
【図５】外筒の正面図（ａ）、その側面図（ｂ）、その背面図（ｃ）、そのｄ−ｄ断面図（ｄ）である。
【図６】回動表示部材の正面図（ａ）その側面図（ｂ）である。
【図７】切断ピンの側面図（ａ）、その斜視図（ｂ）、その斜視図（ｃ）である。
【図８】シリンダ錠の先端部近傍の部分拡大断面図である。
【図９】コード変換開始時、内筒を右に１８０°回したときの、シリンダ錠の先端部近傍の部分拡大断面図である。
【図１０】コード変換時、内筒を左に１８０°戻してコード変換を完了し状態の、シリンダ錠の先端部近傍の部分拡大断面図である。
【図１１】コード変換後、解錠操作を行った際の、シリンダ錠の先端部近傍の部分拡大断面図である。
【図１２】遊技機メーカーでの解錠の際の、内筒、回動表示部材、及び外筒の回動角度位置を示す説明図である。
【図１３】コード変換開始時に、キーを右に１８０°回したときの、内筒、回動表示部材、及び外筒の回動角度位置を示す説明図である。
【図１４】コード変換時に、キーを左に１８０°戻したときの、内筒、回動表示部材、及び外筒の回動角度位置を示す説明図である。
【図１５】コード変換後、解錠操作を行った際、及び再度変換操作を行う際の、内筒、回動表示部材、及び外筒の回動角度位置を示す説明図である。
【発明を実施するための形態】
【００２６】
以下、本発明の一実施形態を図面に基づいて説明する。この変換式シリンダ錠は、解錠キーコードを変換可能なシリンダ錠であって、図１〜４に示すように、正面フランジ部１２を正面に有する筒状の外筒１内に、内筒２を回動可能に挿入し、内筒２には、軸と直角方向に多数のタンブラー孔２１を並設し、それらのタンブラー孔２１内に、第１タンブラー３と第２タンブラー４を組み合わせた状態で挿入して構成される。
【００２７】
図３に示すように、内筒２にはスリット状の多数のタンブラー孔２１が軸方向と直角に並設され、それらのタンブラー孔２１内に、各々、開閉用の第１タンブラー３と変換用の第２タンブラー４とが組み合わされた状態で、内筒軸と直角に挿入される。さらに、内筒２の両側に設けたサイドバー用凹部２２、２３内には、図２に示す如く、開閉用の第１サイドバー５とコード変換用の第２サイドバー６が、ラジアル方向に摺動可能に挿入される。なお、シリンダ錠の上下前後左右方向は、図２の斜視図に示す如く、矢印Ｆが錠の前方、矢印Ｒが錠の後方、矢印Ｕが上方、矢印Ｄが下方、矢印ＲＩが右側、矢印Ｌが左側である。
【００２８】
変換式シリンダ錠は、錠の外殻を形成し、内側壁面に軸方向の係合凹溝１８（図５ｃ）を形成した外筒１と、外筒１内に回転可能に挿入され、キー挿入孔２０を軸方向に設け、キー挿入孔２０と直角方向にスリット状のタンブラー孔２１を多数並設した内筒２と、各タンブラー孔２１に摺動可能に挿入される第１タンブラー３と、第１タンブラー３の側部に回動可能に嵌合され、開閉用のサイドバー溝４５とコード変換用のサイドバー溝４６を設けた第２タンブラー４と、内筒２の外周の一方のサイドバー用凹部２３に嵌合される開閉用の第１サイドバー５と、内筒２の外周の他方のサイドバー用凹部２２に嵌合されるコード変換用の第２サイドバー６と、を備えている。
【００２９】
図２，３に示すように、外筒１の後端部には、後部フランジ１１が設けられ、後部フランジ１１内には、コード変換時に、内筒２とカム軸９とを切り離し、内筒２のみがキーにより回動するようにリセットするリセットレバー１０が、裏側から操作可能に設けられる。後部フランジ１１の裏面には、裏カバー板１９が外筒１内を閉鎖するように取り付けられ、その内側に、カム軸９が内筒２の端部と連結可能に配設され、カム軸９の先端は裏カバー板１９から後方に突出する。
【００３０】
図２に示すように、第１タンブラー３の中央には、第２タンブラー４の内孔を回動可能に嵌め込むための凸部が形成され、その凸部内にキー孔３１が形成され、キー孔３１内にキー係合凸部３２が突設される。第１タンブラー３は、内筒２のタンブラー孔２１内で、キーの挿入時、そのキー溝の形状に応じて上下（軸方向と直角の方向）に摺動する。第２タンブラー４の左側（一端）には、開閉用のサイドバー溝４５が１個形成され、その右側（他端）には、コード変換用のサイドバー溝４６が上下に歯状に３個形成され、開閉用のサイドバー溝４５には開閉用の第１サイドバー５の内側凸部が係合可能であり、コード変換用のサイドバー溝４６には、コード変換用の第２サイドバー６の内側凸部が、コード変換用に挿入されるキーのキー溝の形状に応じて、３個の溝の何れかに係合可能である。
【００３１】
内筒２の外周部軸方向の両側に、サイドバー用凹部２２、２３が１８０°の角度間隔をおいて形成され、一方のサイドバー用凹部２２には開閉用の第１サイドバー５がバネ(コイルばね)２７を介して軸と直角方向に摺動可能に嵌合される。他方のサイドバー用凹部２３には、コード変換用の第２サイドバー６がバネ２７を介して軸と直角方向に摺動可能に嵌合され、図３ｂに示すように、内筒２の通常位置で、第１サイドバー５は外筒１の係合凹溝１８と係合し、キーコード変換時に内筒２が１８０°回動したとき、外筒１の係合凹溝１８には第２サイドバー６が係合する。
【００３２】
さらに、内筒２の後部には、図２、３に示すように、キーをキー挿入孔２０に挿入した際、キーの適正位置への挿入を確認するための、キー確認タンブラー７が挿入され、キーを適正位置まで挿入したとき、キー確認タンブラー７を押し上げ、内筒２を外筒１に対し回動可能とする。さらに、キー確認タンブラー７の後部には、リセットタンブラー８が内筒２内にバネ２８を介して摺動可能に配設され、上記のリセットレバー１０の先端がリセットタンブラー８を内側に当接する。これにより、リセットレバー１０を図３の下側に押し下げたとき、リセットタンブラー８が下方に摺動して、内筒２が、連結されるカム軸９から切り離され、回動可能となる。つまり、シリンダ錠が取り付けられる施錠装置では、通常、カム軸９は他の部材に連結され、自在に回動できない構造であるが、内筒２は回動可能となる。
【００３３】
図１，２，３に示すように、外筒１の正面フランジ部１２には中央にキー孔１２ａが形成され、そのキー孔１２ａの周縁部に表示窓１３が回動表示部材１４の表示部１４ａを表示するために設けられる。さらに、表示窓１３と反対側の正面フランジ部１２の内側には、切断ピン１５のピン先端部１５ｂが嵌入可能なピン孔１２ｂが設けられる。
【００３４】
表示窓１３には、透明合成樹脂がはめ込まれて密閉され、表示部１４ａが表示窓１３を通して表示可能となっている。回動表示部材１４は、図６に示すように、リング状に形成され、黒色や有彩色を付した表示部１４ａがその一部に設けられ、さらに、表示部１４ａの反対側つまり１８０°の角度間隔をおいてピン孔１４ｂが設けられる。このピン孔１４ｂには、切断ピン１５のピン先端部１５ｂが嵌合可能である。
【００３５】
さらに、回動表示部材１４の周縁部の両側には、アーム状のばね弾性部１４ｃが設けられ、回動表示部材１４が外筒１内に挿入されたとき、両側のアーム状のばね弾性部１４ｃが外筒１の内周面に弾性力をもって接触する。また、ばね弾性部１４ｃの外側には凸部が設けられ、この凸部を外筒内の係合凹溝１８と係合可能とし、これにより、回動表示部材１４を定位置に保持するようになっている。リング状に形成された回動表示部材１４は、内筒２の前部に突設した凸部２５に、その内側円形孔を回動可能に嵌め込んで装着される。そして、回動表示部材１４の回動位置に応じて、表示部１４ａが表示窓１３から露出し表示されるようになっている。
【００３６】
切断ピン１５は、図７に示すように、元部１５ａの先端側に、切断予定部１５ｃを介して、ピン先端部１５ｂを一体に設けて形成される。切断予定部１５ｃは、図７に示すように、細く形成され、ピン先端部１５ｂが正面フランジ部１２のピン孔１２ｂに入った状態で、内筒２が回動したとき、その回動力で切断予定部１５ｃが切断され、ピン先端部１５ｂがピン孔１２ｂに残り、切断ピン１５の元部５ａがピン挿入孔２４に残るようになっている。
【００３７】
切断ピン１５は、図１、３に示すように、内筒２の前部に軸方向に穿設したピン挿入孔２４内にバネ（コイルばね）１６を介して挿入される。つまり、切断ピン１５は、その元部１５ａに対しピン先端部１５ｂが、内筒２の回動力により切断可能に形成され、ピン先端部１５ｂは、回動表示部材１４のピン孔１４ｂと外筒１のピン孔１２ｂとに挿入可能となっている。
【００３８】
通常時、切断ピン１５は、バネ１６により先端側に付勢され、ピン先端部１５ｂを回動表示部材１４の内側面（裏面）に当接させている。そして、内筒２及び回動表示部材１４の回動によりピン孔１４ｂの位置がピン先端部１５ｂの位置と一致したとき、つまりコード変換時に内筒２が通常位置から１８０°回動されたとき、ピン先端部１５ｂは図９、図１０のように、ピン孔１４ｂに嵌入するように構成される。
【００３９】
このように、内筒２のピン挿入孔２４に挿入された切断ピン１５は、キーを内筒２のキー挿入孔２０に挿入してキーコード変換位置まで回したとき、切断ピン１５のピン先端部１５ｂが回動表示部材１４のピン孔１４ｂに嵌合する。そして、コード変換するキーを内筒２のキー挿入孔２０に差し込み、元の通常位置に戻すとき、回動表示部材１４が内筒２とともに回動し、回動表示部材１４の表示部１４ａは、表示窓１３から露出して表示されるようになっている。
【００４０】
またこのとき、ピン先端部１５ｂは外筒１のピン孔１２ｂに嵌合するので、その状態で、錠を解錠するために、キーにより内筒２を回動操作すると、切断ピン１５のピン先端部１５ｂが元部１５ａから切り離されて外筒１のピン孔１２ｂと回動表示部材１４のピン孔１４ｂ内に保持され、回動表示部材１４はピン先端部１５ｂによって外筒１内の定位置に保持され、表示部１４ｂａは表示窓１３から固定的に表示される構造となっている。
【００４１】
なお、上記変換式シリンダ錠の実施形態では、その外殻を形成する外筒１は、通常の長さの外筒ケースとし、外筒１の後部に後部フランジ１１と裏カバー板１９を直接取り付け、その裏カバー板１９からカム軸９を後方に突出させたが、外筒をより長く形成して長尺外筒とし、長尺外筒の内部に連結軸を配設し、長尺外筒の後部にカム軸を回動可能に嵌め込み、内筒２の後部を、連結軸を介して連結するように構成することもできる。
【００４２】
次に、上記構成の変換式シリンダ錠の動作を説明する。変換式シリンダ錠は、例えばパチンコ機などの遊技機用の施錠装置に組み付けて使用され、キー（合鍵）Ｋを挿入しない通常施錠の状態では、図３（ｂ）に示すように、内筒２内の第１サイドバー５がその内側元部を第２タンブラー４の外周部に当接させた状態であり、第１サイドバー５は外筒１内の係合凹溝１８に係合し、これによって、内筒２は回転を阻止され、施錠状態が保持される。
【００４３】
適正なキーＫをキー挿入孔２０に差し込むと、キーＫのキーコード（キーの凹凸形状）に応じて第２タンブラー４が第１タンブラー３とともに上または下に摺動し、図３（ｃ）のように、開閉用の第１サイドバー５の内側元部位置が第２タンブラー４の開閉用のサイドバー溝４５の位置と合致する。この状態で、図３（ｂ）に示すように、キーＫを操作して内筒２を所定の解錠角度（例えば約９０°）だけ右または左に回すと、第１サイドバー５は容易にサイドバー溝４５内に戻るように内側に移動し、外筒１の係合凹溝１８と第１サイドバー５との係合がはずれ、内筒２は右または左に解錠位置まで回転し、解錠される。
【００４４】
遊技機メーカーの製品検査時などを含む、シリンダ錠の通常使用時、外筒１と内筒２の間に配設した回動表示部材１４は、図８、図１２に示すように、切断ピン１５がそのピン先端部１５ｂを回動表示部材１４の裏面を押して接触し、内筒２側の切断ピン１５の先端が摺動するのみであり、回動表示部材１４はばね弾性部１４ｃが外筒１の内側に接触し、且つばね弾性部１４ｃの凸部が係合凹溝１８と係合しているので、内筒２の解錠操作に伴う回動を許容し、回動表示部材１４は外筒１内で静止した状態となる。またこのとき、外筒１の正面フランジ部１２の表示窓１３には、回動表示部材１４のピン孔１４ｂが露出するのみである。
【００４５】
キーＫを別の新キーＫ１に変える場合、キーＫをキー挿入孔２０に差し込み、リセットレバー１０を操作しながら、キーＫを右に１８０°回す。このとき、リセットレバー１０の操作により、リセットタンブラー８が内筒２内に押し込まれ、内筒２の後部に連結されたカム軸９が内筒２から分離され、キーは適正キーＫであるため、解錠状態となって内筒２のみが１８０°回転する。
【００４６】
次に、キーＫをキー挿入孔２０から引き抜き、別の新キーＫ１をキー挿入孔２０に差し込み、新キーＫ１を左に１８０°回して、内筒２を元の位置に戻す。
【００４７】
このとき、新キーＫ１のキーコードに応じて第２タンブラー４が第１タンブラー３とともに上または下に摺動し、変換用の第２サイドバー６の内側元部位置が第２タンブラー４の別のサイドバー溝４５の位置と合致する状態となり、キーＫのキーコードから新キーＫ１のキーコードに、キーコードが変更され、新キーＫ１のみが適正な解錠キーとなる。
【００４８】
一方、遊技機メーカーなどが、遊技機に付属する施錠装置に変換式シリンダ錠を取り付けて遊技機を製造し、それらを遊技機ホールに出荷する際、変換式シリンダ錠には、キーＫ（例えば流通キー）をキー挿入孔２０に差し込み、リセットレバー１０を操作しながら、キーＫを右に１８０°回し、キーコード変換開始状態（リセット状態）として、キーＫを抜き、その状態で、遊技機の前枠を閉じて遊技機を出荷する。
【００４９】
このとき、内筒２は、外筒１内で１８０°回転し、内筒２のピン挿入孔２４内の切断ピン１５は、図９、図１３に示すように、表示窓１３の位置まで回動し、切断ピン１５のピン先端部１５ｂは、外筒１内で静止する回動表示部材１４のピン孔１４ｂに、バネ１６のばね力により嵌入する。この状態で、変換式シリンダ錠は出荷されることとなる。
【００５０】
そして、遊技機ホールで、この変換式シリンダ錠を取り付けた遊技機を、各島に設置する場合、例えばホール専用キーをキー挿入孔２０に差し込み、左に１８０°回して、内筒２を元の角度位置(図３の状態)に戻す。
【００５１】
このとき、上記のように、キーコード変換用の第２タンブラー４と第２サイドバー６が作用して、キーコードがキーＫからホール専用キーに変換されるとともに、切断ピン１５のピン先端部１５ｂをピン孔１４ｂに嵌入させた回動表示部材１４は、図１３に示すように、内筒２とともに１８０°回転し、図１０に示すように、切断ピン１５のピン先端部１５ｂは外筒１の正面フランジ部１２内のピン孔１２ｂに嵌入する。これにより、図１０のように、切断ピン１５のピン先端部１５ｂは回動表示部材１４のピン孔１４ｂと外筒１のピン孔１２ｂの両方に嵌入した状態となる。このとき、回動表示部材１４の表示部１４ａは、図１０のように外筒１の表示窓１３の位置にあるから、表示窓１３から表示部１４ａが露出して表示された状態となる。
【００５２】
そして、変換式シリンダ錠の解錠操作を行う場合、ホール専用キーにより内筒２を右または左に約９０°回して解錠操作するが、このとき、その回動力により、切断ピン１５が切断され、図１１のように、ピンの元部５ａは内筒２のピン挿入孔２４内に残り、ピン先端部１５ｂは外筒１のピン孔１２ｂに残る。このため、回動表示部材１４は、ピン先端部１５ｂによって、外筒１の正面フランジ部１２の内側に固定保持された状態となり、その表示部１４ａは、図１１、図１４に示すように、表示窓１３に表示された状態を保持することとなる。
【００５３】
したがって、遊技機の運送途中で、不正行為のために、流通キーなどのキーを、キーコード変換開始状態にあるキー挿入孔２０に差し込み、内筒２を元の位置まで戻し、不正解錠を行った場合、切断ピン１５のピン先端部１５ｂが外筒１のピン孔１２ｂと回動表示部材１４のピン孔１４ｂに進入して内筒２が回動し、これにより、切断ピン１５の元部１５ａとピン先端部１５ｂが切断されて分離し、ピン先端部１５ｂが回動表示部材１４のピン孔１４ｂと外筒１のピン孔１２ｂに嵌合保持され、回動表示部材１４は外筒１に対し固定状態となり、その表示部１４ａは外筒１の表示窓１３に固定的に表示された状態となる。また、仮に不正行為者が再度コード変換を行おうとして、リセットレバー１０を操作しながら、キーを１８０°回して再変換をしたとしても、回動表示部材１４は外筒１に対し固定され、表示部１４ａは外筒１の表示窓１３に固定的に表示されたままである。
【００５４】
このため、仮に輸送途中に、流通キーなどを使用して不正に解錠操作された場合、外筒１の表示窓１３に回動表示部材１４の表示部１４ａが固定的に表示され、その表示を見れば、当該遊技機が輸送途中などに不正に解錠されたものと容易に認識することができ、このような理由から、遊技機の輸送途中における不正解錠を未然に防止することができる。
【符号の説明】
【００５５】
１      外筒
２      内筒
３      第１タンブラー
４      第２タンブラー
５      第１サイドバー
５ａ    元部
６      第２サイドバー
７      キー確認タンブラー
８      リセットタンブラー
９      カム軸
１０    リセットレバー
１１    後部フランジ
１２    正面フランジ部
１２ａ  キー孔
１２ｂ  ピン孔
１３    表示窓
１４    回動表示部材
１４ａ  表示部
１４ｂ  ピン孔
１４ｂａ  表示部
１４ｃ  弾性部
１５    切断ピン
１５ａ  元部
１５ｂ  ピン先端部
１５ｃ  切断予定部
１６    バネ
１８    係合凹溝
１９    裏カバー板
２０    キー挿入孔
２１    タンブラー孔
２２    サイドバー用凹部
２３    サイドバー用凹部
２４    ピン挿入孔
２５    凸部
２７    バネ
２８    バネ
３１    キー孔
３２    キー係合凸部
４５    サイドバー溝
４６    サイドバー溝
【図１】
2016121506.tif 000003
【図２】
2016121506.tif 000004
【図３】
2016121506.tif 000005
【図４】
2016121506.tif 000006
【図５】
2016121506.tif 000007
【図６】
2016121506.tif 000008
【図７】
2016121506.tif 000009
【図８】
2016121506.tif 000010
【図９】
2016121506.tif 000011
【図１０】
2016121506.tif 000012
【図１１】
2016121506.tif 000013
【図１２】
2016121506.tif 000014
【図１３】
2016121506.tif 000015
【図１４】
2016121506.tif 000016
【図１５】
2016121506.tif 000017